(57)【要約】      （修正有）【課題】コスト及び簡易的に繰り返し使用ができる点で有利なマンホールの蓋及びその受枠に用いるマンホール設置用型枠セットを提供することができる。【解決手段】マンホールの蓋及びその受枠の設置時に用いるマンホール設置用型枠セット１００であって、受枠の周辺に仕上げ材を充填するための型として用いる第１の型枠１０１と、仕上げ材を充填するための型として用いる第２の型枠２０１と、第１の型枠１０１の上部に装着され、第１の型枠１０１の内周側より支持することで第１の型枠１０１の形状を保持する第１の型枠用サポーターと、第２の型枠２０１の内周部に装着され、第２の型枠２０１をマンホールの内周部に固定する第２の型枠用サポーター２０２とを有する。【選択図】図１
0003221734.tif 000002
【実用新案登録請求の範囲】
【請求項１】
マンホールの蓋及びその受枠の設置時に用いるマンホール設置用型枠セットであって、
第１の帯状の弾性変形可能な素材をマンホール壁の外周部に巻き付け、前記第１の弾性変形可能な素材の一方の端部である第１の端部と、もう一方の端部である第２の端部と、を締め付けることで前記受枠の周辺に仕上げ材を充填するための型として用いる第１の型枠と、
第２の帯状の弾性変形可能な素材を前記マンホール壁の内周部に沿って巻き付け、前記第２の弾性変形可能な素材の一方の端部である第３の端部と、もう一方の端部である第４の端部と、を重ね合わせることで前記仕上げ材を充填するための型として用いる第２の型枠と、
前記第１の型枠の上部に装着され、前記第１の型枠の内周側より支持することで前記第１の型枠の形状を保持する第１の型枠用サポーターと、
前記第２の型枠の内周部に装着され、前記第２の型枠を前記マンホール壁の内周部に固定する第２の型枠用サポーターと、を有すること
を特徴とするマンホール設置用型枠セット。
【請求項２】
前記第１の型枠は、
第１の端部の外周に形成されたベルトと、
第２の端部に形成された前記ベルトを通すためのバックルと、を有すること、
を特徴とする請求項１に記載のマンホール設置用型枠セット。
【請求項３】
前記第１の型枠用サポーターは、先端のそれぞれに引掛け部材を有すること、
を特徴とする請求項１または２に記載のマンホール設置用型枠セット。
【請求項４】
前記第２の型枠用サポーターは、先端のそれぞれに押さえ部材を有すること、
を特徴とする請求項１乃至３のいずれか１項に記載のマンホール設置用型枠セット。
【請求項５】
前記第１の型枠用サポーターと前記第２の型枠用サポーターは、前記第１の型枠用サポーターと前記第２の型枠用サポーターの長さを調整するための調整部を有すること、
を特徴とする請求項１乃至４のいずれか１項に記載のマンホール設置用型枠セット。
【請求項６】
前記第１の型枠用サポーターは、前記調整部を介して本体部を回転させることによって伸縮可能とするとともに、前記第１の型枠へ装着していない状態ではその長さが前記第１の型枠の内径よりも短く設定され、前記第１の型枠へ装着した状態では前記第１の型枠の上部に嵌合するように構成されること、
を特徴とする請求項５に記載のマンホール設置用型枠セット。
【請求項７】
前記第２の型枠用サポーターは、前記調整部を介して本体部を回転させることによって伸縮可能とするとともに、前記第２の型枠へ装着していない状態ではその長さが前記第２の型枠の内径よりも短く設定され、前記第２の型枠へ装着した状態では前記第２の型枠の内周部に当接するように構成されること、
を特徴とする請求項５または６に記載のマンホール設置用型枠セット。
【考案の詳細な説明】
【技術分野】
【０００１】
本考案はマンホールの蓋及びその受枠の設置時に用いるマンホール設置用型枠セットに関する。
【背景技術】
【０００２】
従来、マンホールは、マンホール蓋の受枠を地面に固定するため、図４（Ｂ）のようにマンホールの外周が環状のコンクリートで固められ、設置されている場合がある。このように設置されたマンホール蓋及びその受枠を交換する際、環状のコンクリートは一旦、はつりされる。
【０００３】
その後、新たなマンホール蓋及びその受枠設置後に、原状復帰のため、原状と同じ直径の円環状のコンクリートを敷設することが求められる。その際、例えば、ベニヤ板等の木材を円形に加工し、複数の支持材で支持し、型として用いることが広く知られている。
【０００４】
例えば特許文献１には、マンホール枠について市販されているかさ上げ枠では対応することができない場合に対応可能な、マンホール枠のかさ上げ用型枠装置について開示している。この型枠装置は、マンホール壁の内周に設置する帯板部材と、マンホール壁と帯板部材上部とを固定する押圧具と、マンホール壁と帯板部材下部を固定する締結具とで構成されるものであり、型として用いる帯板部材は木材を使用する使い捨てタイプであることを特徴とする。
【先行技術文献】
【特許文献】
【０００５】
【特許文献１】実開平６−５７９４３号公報
【考案の概要】
【考案が解決しようとする課題】
【０００６】
しかしながら、木材は円形に加工しづらいため、加工に多くの時間と多くの作業員を要する。また、木材を繰り返し型として使用する場合、型枠を支持するための木材を通常より多く使用する必要があり、コストが高額となりうる。さらに、木材は耐久性に欠けるため、型枠として繰り返し用いることができたとしても、数回使用できる程度である。
【０００７】
そこで、本考案は、コスト及び簡易的に繰り返し使用ができる点で有利なマンホールの蓋及びその受枠の交換に用いるマンホール設置用型枠セットを提供することを目的とする。
【課題を解決するための手段】
【０００８】
上記課題を解決するために、本考案はマンホールの蓋及びその受枠の設置時に用いるマンホール設置用型枠セットであって、第１の帯状の弾性変形可能な素材をマンホール壁の外周部に巻き付け、前記第１の弾性変形可能な素材の一方の端部である第１の端部と、もう一方の端部である第２の端部と、を締め付けることで前記受枠の周辺に仕上げ材を充填するための型として用いる第１の型枠と、第２の帯状の弾性変形可能な素材を前記マンホール壁の内周部に沿って巻き付け、前記第２の弾性変形可能な素材の一方の端部である第３の端部と、もう一方の端部である第４の端部と、を重ね合わせることで前記仕上げ材を充填するための型として用いる第２の型枠と、前記第１の型枠の上部に装着され、前記第１の型枠の内周側より支持することで前記第１の型枠の形状を保持する第１の型枠用サポーターと、前記第２の型枠の内周部に装着され、前記第２の型枠を前記マンホールの内周部に固定する第２の型枠用サポーターとからなることを特徴とする。
【考案の効果】
【０００９】
本考案によれば、例えば、コスト及び簡易的に繰り返し使用ができる点で有利なマンホールの蓋及びその受枠に用いるマンホール設置用型枠セットを提供することができる。
【図面の簡単な説明】
【００１０】
【図１】マンホール設置用型枠セットを示す図である。
【図２】第１の型枠と第２の型枠の不使用時の状態を示す図である。
【図３】第1の型枠用サポーターと第２の型枠用サポーターを示す図である。
【図４】第1実施形態に係る交換前のマンホールの一例を示す図である。
【図５】第1実施形態に係る交換前の受枠の状態を示す図である。
【図６】第1実施形態に係る第１の型枠を取り付けている状態を示す図である。
【図７】第1実施形態に係るマンホール設置用型枠セットを使用している状態を示す図である。
【図８】第1実施形態に係る仕上げ材充填時及び仕上げ材硬化後、マンホール設置用型枠セットを取り外した状態を示す図である。
【図９】第1実施形態に係る交換前の地面材と外観上同じ状態であることを示す図である。
【図１０】第２実施形態に係る新設時のマンホールの一例を示す図である。
【図１１】第２実施形態に係る第１の型枠を取り付けている状態を示す図である。
【図１２】第２実施形態に係るマンホール設置用型枠セットを使用している状態を示す図である。
【図１３】第２実施形態に係る仕上げ材充填時を示す図である。
【図１４】第２実施形態に係る仕上げ材硬化後を示す図である。
【考案を実施するための形態】
【００１１】
以下、本考案を実施するための形態について図面等を参照して説明する。
【００１２】
（第１実施形態）
図１は、第１実施形態におけるマンホール設置用型枠セット１００を示す斜視図である。マンホール設置用型枠セット１００は、第１の型枠１０１と、第１の型枠用サポーター１０４と、第２の型枠２０１と、第２の型枠用サポーター２０２とを含みうる。また、第１の型枠１０１は、第１の型枠用サポーター１０４とはセットで使用し、第２の型枠２０１は、第２の型枠用サポーター２０２とセットで使用する。
【００１３】
第１の型枠１０１は、長辺の長さが、マンホール壁３０４の外周部３０５ａの外周長よりも長く、短辺の長さが、掘削範囲３１０の深さより長い帯状の素材を用いる。第１の型枠１０１は、強度及び柔軟性に優れ、円形に弾性変形しやすい素材であれば良いが、金属素材であることが好ましい。また、金属素材の厚さは約０．７ｍｍ〜１．０ｍｍが好ましいがこれに限られるものではない。
【００１４】
第１の型枠１０１は、第１の帯状の金属素材の一方の端部である第１の端部の外周にベルト１０２とバックル１０３ａとを形成し、もう一方の端部である第２の端部には、バックル１０３ｂを形成する。
【００１５】
第１の端部の外周に形成されたベルト１０２は、第１の端部の外周に形成されているバックル１０３ａに接合されている。もう一方の端部である第２の端部に形成されたバックル１０３ｂは第１の型枠１０１の外周に接合されている。なお、ベルト１０２と、バックル１０３ａと、バックル１０３ｂは金属以外の素材でも良いが、金属素材が好ましい。
【００１６】
そして、第１の型枠１０１を使用する際には、第１の端部の外周に形成されているベルト１０２を、第２の端部に形成されているバックル１０３ｂに通し、マンホール壁３０４の外周部３０５ａに対して締め付けて固定することで、受枠３０２の周辺に、仕上げ材３０９を充填するための型として用いる。なお、マンホール壁３０４、外周部３０５ａ、および受枠３０２は図４（Ａ）に図示されている。ベルト１０２と、バックル１０３ａと、バックル１０３ｂはそれぞれ１つ形成させていれば良いが、それぞれ２つ以上で形成されていることが好ましい。
【００１７】
第２の型枠２０１は、長辺の長さが、マンホール壁３０４の内周部３０５ｂの内周長よりも長く、短辺の長さが、交換後の受枠４０２下部に設置する際に用いる高さ調整用のスペーサー３１２より生じる隙間より長い帯状の素材を用いる。第２の型枠２０１は、強度及び柔軟性に優れ、円形に弾性変形しやすい素材であれば良いが、金属素材であることが好ましい。また、金属素材の厚さは約０．７〜１．０ｍｍが好ましいがこれに限られるものではない。
【００１８】
図２は、第１の型枠１０１と第２の型枠２０１の不使用時における斜視図である。不使用時の第１の型枠１０１は、ベルト１０２を、バックル１０３ｂより取り外しているため、第１の弾性変形可能な素材の一方の端部である第１の端部と、もう一方の端部である第２の端部とは離れた状態となっている。
【００１９】
また、不使用時の第２の型枠２０１は、第２の型枠用サポーター２０２により固定されていないため、第２の弾性変形可能な素材の一方の端部である第３の端部と、もう一方の端部である第４の端部とは離れた状態となっている。なお、第１の型枠１０１と第２の型枠２０１は、不使用時は帯状であるため、木材を使用した型枠より容易に持ち運びが可能になる。
【００２０】
図３（Ａ）は、第１の型枠用サポーター１０４を示す斜視図である。第１の型枠用サポーター１０４は、引掛け部材１０５と、本体部１０６と、調整部１０７とを備える。
【００２１】
引掛け部材１０５は、コの字形状の溝部を形成している部材である。なお、引掛け部材１０５の溝部は、第１の型枠１０１の上部に嵌合可能な形状であれば良く、例えば、Ｕ時形状であっても良い。そして、引掛け部材１０５は調整部１０７に接合されている。本体部１０６はボルトであり、調整部１０７はナットである。そして、本体部１０６は、調整部１０７に螺合されている。なお、引掛け部材１０５と、本体部１０６と、調整部１０７は金属以外の素材でも良いが、金属素材が好ましい。
【００２２】
第１の型枠用サポーター１０４は、調整部１０７を介して本体部１０６を回転させることによって伸縮が可能となる。第１の型枠１０１へ装着していない状態、いわゆる不使用時の状態は、第１の型枠１０１の対抗する円周部間の間隔よりも、短く形成される。そして、第１の型枠１０１へ装着した状態、いわゆる使用時の状態では、第１の型枠１０１の上部に引掛け部材１０５を嵌合させた後、調整部１０７を介して本体部１０６を回転させて第１の型枠１０１に対して取り付ける。また、第１の型枠用サポーター１０４は１つあれば良いが、２つ以上で使用することが好ましい。
【００２３】
なお、調整部１０７は左右どちらか一方に設けられていても良いが、左右それぞれに設けることが好ましい。ここで、第１の型枠１０１の上部とは、第１の型枠１０１の使用時に、地面材３０８の表面より高い位置となる側の第１の型枠１０１の長辺である。
【００２４】
第１の型枠用サポーター１０４は第１の型枠１０１の内周側より支持することで、第１の型枠１０１の形状を保持する。これにより、第１の型枠１０１の歪みを防止することができる。歪みを防止することで、第１の型枠１０１の型崩れを防ぎ、仕上げ材３０９が第１の型枠１０１から漏れ出すことを防ぐことができる。
【００２５】
図３（Ｂ）は、第２の型枠用サポーター２０２を示す斜視図である。第２の型枠用サポーター２０２は、押さえ部材２０３と、本体部２０４と、調整部２０５とを備える。押さえ部材２０３は調整部２０５に接合されている。本体部２０４はボルトであり、調整部２０５はナットである。そして、本体部２０４は、調整部２０５に螺合されている。なお、押さえ部材２０３と、本体部２０４と、調整部２０５は金属以外の素材でも良いが、金属素材が好ましい。また、押さえ部材２０３は、第２の型枠２０１の円周部に当接させる箇所を円弧状となるように加工を施しても良い。
【００２６】
第２の型枠用サポーター２０２は、調整部２０５を介して本体部２０４を回転させることによって伸縮が可能となる。そのため、第２の型枠２０１へ装着していない状態、いわゆる不使用時の状態は、第２の型枠２０１の対抗する円周部間の間隔よりも、短く形成される。そして、第２の型枠２０１へ装着した状態、いわゆる使用時の状態では、調整部２０５を介して本体部２０４を回転させて、押さえ部材２０３を第２の型枠２０１の円周部に当接させ、第２の型枠２０１を、マンホール壁３０４の内周部３０５ｂに固定をする。また、第２の型枠用サポーター２０２は１つあれば良いが、２つ以上で使用することが好ましい。なお、調整部２０５は左右どちらか一方に設けられていても良いが、左右それぞれに設けることが好ましい。
【００２７】
次に、マンホール設置用型枠セット１００の使用について、図４（Ａ）〜図９（Ｂ）を参照して以下に示す。
【００２８】
図４（Ａ）は、交換前のマンホール３００の一例を示す縦断面図であり、図４（Ｂ）は斜視図である。マンホール３００は、マンホール蓋３０１、受枠３０２、ボルト３０３及びマンホール壁３０４を含みうる。マンホール壁３０４は、外周部３０５ａ、内周部３０５ｂ、調整リング３０６を含みうる。マンホール３００は、地面３０７に敷設されている。地面３０７は、地面材３０８及び仕上げ材３０９を含む。地面材３０８は、例えば、土であっても良いし、モルタル等の下地層を含むインターロッキングブロックであっても良い。また、下地層を含むアスファルト合成材であっても良い。
【００２９】
マンホール蓋３０１及び受枠３０２の外周には、マンホール蓋３０１及び受枠３０２を固定する仕上げ材３０９が円環状に敷設されている。マンホール設置用型枠セット１００を使用する際には、マンホール３００周辺の地面材３０８及び仕上げ材３０９を掘削し、除去する。例えば掘削は、図４（Ｂ）の掘削範囲３１０で行われる。
【００３０】
地面材３０８の掘削範囲３１０は、マンホール蓋３０１及び受枠３０２の交換作業が可能な空間が形成される範囲であって、マンホール壁３０４の上部が露出する深さであれば良い。地面材３０８が、例えば、土である場合は、掘削範囲３１０の土をショベル等で掘削し、その後、仕上げ材３０９をはつり工具等ではつりし、除去する。地面材３０８が、例えば下層を含むインターロッキングブロックである場合は、インターロッキングブロックを取り外し、下地層及び仕上げ材３０９をはつり工具等ではつりし、除去する。地面材３０８が例えば、アスファルトである場合は、汎用のカッター装置等で例えば、掘削線３１１に対して切込みをいれ、掘削範囲３１０内のアスファルト及び仕上げ材３０９をはつりし、除去する。
【００３１】
図５（Ａ）は、交換前の受枠３０２の状態を示す縦断面図であり、図５（Ｂ）は斜視図である。掘削範囲３１０の地面材３０８及び仕上げ材３０９は、掘削により除去され、図５（Ａ）及び図５（Ｂ）に示す状態となる。なお、図５（Ａ）及び図５（Ｂ）において、マンホール蓋３０１はすでに取り外されている。受枠３０２が、例えばボルト３０３によりマンホール壁３０４に固定されている場合は、ボルト３０３を取り外し、受枠３０２を撤去する。
【００３２】
図６（Ａ）は、第１の型枠１０１をマンホール壁３０４の外周部３０５ａに取り付けている様子を示す縦断面図であり、図６（Ｂ）は斜視図である。第１の型枠１０１の取り付け前には、交換後の受枠４０２をマンホール壁３０４にボルト４０３を使用して固定しておく必要がある。
【００３３】
また、交換後の受枠４０２は種類の異なるマンホール３００に対して地面材３０８との距離を適切なものとするため、マンホール壁３０４との間に高さ調整用のスペーサー３１２を設置する必要がある。スペーサー３１２設置後、ボルト４０３を使用して交換後の受枠４０２と、マンホール壁３０４とを固定する。
【００３４】
第１の型枠１０１は、マンホール壁３０４の外周部３０５ａに対して巻き付けて固定を行う。固定の際には第１の型枠１０１のベルト１０２をバックル１０３ｂに通し、マンホール壁３０４の外周部３０５ａに対して締め付けて固定をする。
【００３５】
第１の型枠１０１は、図６（Ａ）に示すように、マンホール壁３０４の外周部３０５ａに巻き付けて固定を行うため、マンホール壁３０４の外周部３０５ａの外周と同じ直径になる。そのため、第１の型枠１０１は、交換前の仕上げ材３０９と同じ直径の型枠を簡単に作成することができる。
【００３６】
そして、第１の型枠１０１は柔軟性に優れる弾性変形可能な素材を採用するため、木材を使用する場合に比べ、容易に変形させることができる。第１の型枠１０１を使用することにより、木材を使用した型枠より繰り返し使用することが可能となり、コスト削減となる。
【００３７】
マンホール壁３０４は設置するマンホール３００の種類によっては直径が異なる。その場合、木材を使用した型は、異なる直径毎に再度制作する必要があったが、第１の型枠１０１は長辺の長さが、一般的に用いられる種類のマンホール壁３０４の外周よりも長く設計されているため、様々な直径のマンホール壁３０４に対して使用することができる。
【００３８】
また、マンホール壁３０４に固定する際には、第１の型枠１０１の一方の端部である第１の端部ともう一方の端部である第２の端部とは、約１００〜１５０ｍｍ重なり合った状態で固定されるため、仕上げ材３０９を充填した際に第１の型枠１０１がずれ、仕上げ材３０９が第１の型枠１０１から漏れ出すことを防ぐことができる。
【００３９】
図７（Ａ）は、マンホール設置用型枠セット１００を使用している様子を示す縦断面図であり、図７（Ｂ）は斜視図である。
【００４０】
まず、第２の型枠２０１をマンホール壁３０４の内周部３０５ｂに沿って巻き付け、第２の型枠２０１の一方の端部である第３の端部と、もう一方の端部である第４の端部とを重ね合わせる。その後、第２の型枠用サポーター２０２を対抗する第２の型枠２０１の内周部に当接させるように設置し、第２の型枠２０１とマンホール壁３０４の内周部３０５ｂとを固定する。そして、第１の型枠用サポーター１０４を第１の型枠１０１に装着する。装着に際し、引掛け部材１０５を第１の型枠１０１の上部に嵌合させた後に調整部１０７を介して本体部１０６を回転させて第１の型枠１０１に対して取り付ける。これにより、第１の型枠１０１の歪みを防止することができる。
【００４１】
第２の型枠用サポーター２０２で、第２の型枠２０１をマンホール壁３０４の内周部３０５ｂに固定することで、第２の型枠２０１は、マンホール壁３０４の内周部３０５ｂと同じ直径になるため仕上げ材３０９を充填した際に、第２の型枠２０１がずれ、仕上げ材３０９が、第２の型枠２０１から漏れ出すことを防ぐことができる。また、第２の型枠２０１を使用することにより、木材を使用した型枠より繰り返し使用することが可能となり、コスト削減となる。
【００４２】
マンホール壁３０４は設置するマンホールの種類によっては直径が異なる。その場合、木材を使用した型は異なる直径毎に再度制作する必要があったが、第２の型枠２０１は一般的に用いられる種類のマンホール壁３０４の内周よりも長辺の長さが長く設計されているため、様々なサイズのマンホール壁３０４であっても、使用することが可能となっている。
【００４３】
図８（Ａ）は、仕上げ材３０９の充填時の縦断面図であり、図８（Ｂ）は仕上げ材３０９の硬化後、マンホール設置用型枠セット１００を取り外した状態の斜視図である。仕上げ材３０９を充填することで、交換後の受枠４０２をマンホール壁３０４に固定させる。ここで仕上げ材３０９とは、例えばコンクリート、モルタル等である。
【００４４】
第１の型枠１０１は仕上げ材３０９が硬化するまでは、マンホール壁３０４の外周部３０５ａに対して固定している状態とし、第１の型枠用サポーター１０４は第１の型枠１０１に装着した状態とする。また、第２の型枠２０１は第２の型枠用サポーター２０２を第２の型枠２０１に装着して、マンホール壁３０４の内周部３０５ｂに固定した状態とする。
【００４５】
図９（Ａ）は、仕上げ材３０９の硬化後、交換前の地面材３０８と外観上同じ状態に戻した際の縦断面図であり、図９（Ｂ）は斜視図である。交換後の受枠４０２には新しいマンホール蓋４０１を設置する。地面材３０８が、例えば、土であった場合、除去した土を掘削範囲３１０に埋め戻す。地面材３０８が、例えば、下地層を含むインターロッキングブロックであった場合は、下地層を打設し、インターロッキングブロックを、交換前と外観上同じ状態に戻す。地面材３０８が、例えば、アスファルトであった場合は、下地層を敷均し、その上にアスファルト合材を打設して敷均しをする。
【００４６】
（第２実施形態）
次に、第２実施形態について、図１０〜図１４を参照して以下に示す。第１実施形態と同様の構成は同符号で示し、説明は省略する。
【００４７】
図１０は、第２実施形態におけるマンホール３００の一例を示す縦断面図である。マンホール３００は、マンホール蓋５０１、受枠５０２、高さ調整用ボルト５０４及びマンホール壁３０４を含みうる。マンホール壁３０４は、外周部３０５ａ、内周部３０５ｂ、調整リング３０６を含みうる。マンホール３００は、地面３０７に敷設されている。地面３０７は、地面材３０８及び仕上げ材３０９を含む。受枠５０２は、例えば高さ調整用ボルト５０４により、マンホール壁３０４に固定する。
【００４８】
図１１は、第１の型枠１０１をマンホール壁３０４の外周部３０５ａと受枠５０２に取り付けている様子を示す縦断面図である。第１の型枠１０１は、マンホール壁３０４の外周部３０５ａと受枠５０２に対して巻き付けて、固定を行う。固定の際には第１の型枠１０１のベルト１０２をバックル１０３ｂに通し、マンホール壁３０４の外周部３０５ａと受枠５０２に対して締め付けて固定をする。
【００４９】
図１２は、マンホール設置用型枠セット１００を使用している様子を示す縦断面図である。第１の型枠１０１は、図１１に示すように、マンホール壁３０４の外周部３０５ａと受枠５０２に巻き付けて固定を行うため、マンホール壁３０４の外周部３０５ａと受枠５０２の外周と同じ直径になる。
【００５０】
図１３は、仕上げ材３０９の充填時の縦断面図である。仕上げ材３０９を充填することで、受枠５０２をマンホール壁３０４に固定させる。ここで仕上げ材３０９とは、例えばコンクリート、モルタル等である。第１の型枠１０１をマンホール壁３０４の外周部３０５ａと受枠５０２に、第２の型枠２０１をマンホール壁３０４の内周部３０５ｂにそれぞれ固定することで、仕上げ材３０９がマンホール壁３０４の内側及び外側に漏れ出すことを防ぐことができる。第１の型枠１０１は仕上げ材３０９が硬化するまでは、マンホール壁３０４の外周部３０５ａと受枠５０２に対して固定している状態とし、第１の型枠用サポーター１０４は第１の型枠１０１に装着した状態とする。また、第２の型枠２０１は第２の型枠用サポーター２０２を第２の型枠２０１に装着して、マンホール壁３０４の内周部３０５ｂに固定した状態とする。
【００５１】
図１４は、仕上げ材３０９の硬化後、周囲の地面材３０８と外観上同じ状態に戻した際の縦断面図である。地面材３０８が、例えば、土であった場合、除去した土を掘削範囲３１０に埋め戻す。地面材３０８が、例えば、下地層を含むインターロッキングブロックであった場合は、下地層を打設し、インターロッキングブロックを、交換前と外観上同じ状態に戻す。地面材３０８が、例えば、アスファルトであった場合は、下地層を敷均し、その上にアスファルト合材を打設して敷均しをする。
【００５２】
以上のように本実施形態では、木材を使用する場合に比べ、容易に変形させることができ、繰り返し使用することが可能となるため、コスト削減となる。また、第１の型枠１０１は一般的なマンホール壁３０４の外周長よりも長く、第２の型枠２０１はマンホール壁３０４の内周長よりも長く設計されているため、様々な直径のマンホール壁３０４に対して使用することができる。
【００５３】
（その他の実施形態）
以上、本発明の好ましい実施形態について説明したが、本発明はこれらの実施形態に限定されず、その要旨の範囲内で種々の変形及び変更が可能である。
【符号の説明】
【００５４】
１００  マンホール設置用型枠セット
１０１  第１の型枠
１０２  ベルト
１０３ａ  バックル
１０３ｂ  バックル
１０４  第１の型枠用サポーター
１０５  引掛け部材
１０６  本体部
１０７  調整部
２０１  第２の型枠
２０２  第２の型枠用サポーター
２０３  押さえ部材
２０４  本体部
２０５  調整部
【図１】
0003221734.tif 000003
【図２】
0003221734.tif 000004
【図３】
0003221734.tif 000005
【図４】
0003221734.tif 000006
【図５】
0003221734.tif 000007
【図６】
0003221734.tif 000008
【図７】
0003221734.tif 000009
【図８】
0003221734.tif 000010
【図９】
0003221734.tif 000011
【図１０】
0003221734.tif 000012
【図１１】
0003221734.tif 000013
【図１２】
0003221734.tif 000014
【図１３】
0003221734.tif 000015
【図１４】
0003221734.tif 000016